(57)【要約】【課題】  春夏用肌ふとんのあたたかすぎるという課題を解消して、快適な寝床内気候での睡眠を確保することができるさわやかな肌ふとんを提供する。【解決手段】  肌ふとん（クールキルト肌ふとん）１において、下側地Ｂ２は、中綿Ｂ３の裏面を覆う。上側地Ｂ１は、中心から所定間隔離れた両側の複数箇所に空き部分Ｃ１、Ｃ２を有し、中綿Ｂ３の表面を覆う。メッシュ部Ａ１、Ａ２は、通気性を有するメッシュ構造であって、上側地Ｂ１の空き部分Ｃ１、Ｃ２を覆う。【選択図】  図１
2009160226.tif 000002
【特許請求の範囲】
【請求項１】
中綿と、
前記中綿の裏面を覆う下側地と、
中心から所定間隔離れた両側の複数箇所に空き部分を有し、前記中綿の表面を覆う上側地と、
通気性を有するメッシュ構造であって、前記上側地の前記空き部分を覆うメッシュ部と、
を備えた肌ふとん。
【請求項２】
前記上側地、前記中綿及び前記下側地はタタキキルトで縫付けてあることを特徴とする請求項１に記載の肌ふとん。
【請求項３】
前記空き部分及び前記メッシュ部は、縦の中心の左右両側に設けられたことを特徴とする請求項１又は２に記載の肌ふとん。
【請求項４】
前記空き部分及び前記メッシュ部が、さらに下側に設けられたことを特徴とする請求項３に記載の肌ふとん。
【請求項５】
前記メッシュ部及び／又は前記空き部分の形状は、四角形、円形、楕円形、変形楕円形のいずれかであることを特徴とする請求項１乃至４のいずれかに記載の肌ふとん。
【請求項６】
前記メッシュ部のメッシュ構造の穴の形状は、ダイヤ形、平行四辺形、正方形、長方形、多角形、円形、楕円形又は変形楕円形のいずれかであることを特徴とする請求項１乃至５のいずれかに記載の肌ふとん。
【請求項７】
前記メッシュ部のメッシュの穴は、幅又は径が１ｍｍ〜６ｍｍ程度であることを特徴とする請求項１乃至６のいずれかに記載の肌ふとん。
【発明の詳細な説明】
【技術分野】
【０００１】
本発明は、肌ふとんに係り、特に、酸素Ｏ２を含む空気の風通しが良いさわやかな肌ふとんに関する。なお、以下、本発明の肌ふとんを本明細書中では、「クールキルト肌ふとん」又は「Ｏ２酸素肌ふとん」と呼ぶ場合がある。
【背景技術】
【０００２】
従来の肌ふとんでは、キルトとして、通常、４ｘ５マスキルトのタタキキルトを使用していた。
特許文献１には、便利で快適な睡眠を得られるような多機能な二層構造の羽毛掛け布団が記載されている。
【０００３】
また、特許文献２には、夏には通気性があって爽やかな寝心地が得られ、冬には身体に良く添って十分な保温性を得られ、一枚だけで長期間使用できる掛け布団が記載されている。
また、特許文献３には、立体キルト構造の上掛け布団が記載されている。
【特許文献１】特開平１１−２０６５２０号公報
【特許文献２】特開平０７−２７５１００号公報
【特許文献３】特開２００１−３４０１９５号公報
【発明の開示】
【発明が解決しようとする課題】
【０００４】
しかしながら、従来の技術では、保温力と耐久性のみを追求しており、特に、春夏専用の肌ふとんは、あたたか過ぎる場合があるという課題があった。さらに近年、地球温暖化の影響もあるせいか、熱帯夜の日数が以前より増加する傾向にあるかもしれない。
本発明は、以上の点に鑑み、春夏用肌ふとんのあたたかすぎるという課題を解消して、快適な寝床内気候での睡眠を確保することができるクールな肌ふとんを提供することを目的とする。
【課題を解決するための手段】
【０００５】
本発明の解決手段によると、
中綿と、
前記中綿の裏面を覆う下側地と、
中心から所定間隔離れた両側の複数箇所に空き部分を有し、前記中綿の表面を覆う上側地と、
通気性を有するメッシュ構造であって、前記上側地の前記空き部分を覆うメッシュ部と、
を備えた肌ふとんが提供される。
【発明の効果】
【０００６】
本発明によって、肌ふとんが温かすぎるという概念が一変し、快適な寝床内気候での睡眠を提供することができる。
【発明を実施するための最良の形態】
【０００７】
１．肌ふとん
図１に、本実施の形態に係る肌ふとん（クールキルト肌ふとん）の平面図を示す。
図には、肌ふとん（クールキルト肌ふとん）１が示され、特に、メッシュ部Ａ１及びＡ２、ふとん本体Ｂ、キルトＤ１が示される。
【０００８】
メッシュ部Ａ１及びＡ２は、例えば、ポリエステルメッシュ等の化学繊維のメッシュで作成される。メッシュ部Ａ１及びＡ２の形状は、長方形に限らず、正方形や平行四辺形等の各種四角形、円形、楕円形や変形楕円形、その他任意の形状を適宜用いることができる。メッシュ部Ａ１及びＡ２のふとん本体Ｂに対する数は、特に制限はない。メッシュ部Ａ１及びＡ２の形状・数・位置等は、例えば、健康の常識、頭寒足熱を念頭に入れた規格に適宜すればよい。
【０００９】
メッシュ部Ａ１及びＡ２は、体又はふとん本体Ｂの中心から所定間隔離れた両側の複数箇所に設けることができる。この中心とは、体の頭からつま先へ向かう縦の中心ラインとして、中心から左右両側にメッシュ部Ａ１及びＡ２を設けてもよいし、腹部等の体の横の中心ラインとして、中心から上下両側にメッシュ部Ａ１及びＡ２を設けてもよい。例えば、胸部や腹部等にあたる箇所は、メッシュ部Ａ１及びＡ２を設けないようにして、保温効果を得るようにすることができる。また、手、足にあたる部分は、メッシュ部Ａ１及びＡ２を設けるようにして、さわやかさ、涼しさの効果を得るようにすることができる。また、メッシュ部Ａ１及びＡ２の位置は、クールキルト肌ふとん１のサイズ（シングル、ダブル、セミダブル、キング、クイーン等）に応じて、多様に適宜定めることができる。さらに、メッシュ部Ａ１及びＡ２を２箇所以上設けることで、ふとん内部・中綿の通風性が一層良くなる。
【００１０】
ふとん本体Ｂは、内部に、羽毛、化学素材、天然素材等による中綿を含む。キルトＤ１及びＤ２は、例えば、タタキキルト等のキルトを施す。また、クールキルト肌ふとん１の詰物（水鳥羽毛、合繊、羊毛、キャメル、シルク等）によって、キルトＤ１及びＤ２等のキルティングの数、配置、位置等を変えていくことができ、また位置も適宜特定することができる。
なお、ヘム（周囲、ふち、折り返し）又はマチを、ふとん本体Ｂの周囲にわたって備えることができる。
【００１１】
つぎに、図２に、ふとん本体Ｂの部分説明図を示す。
また、図３に、メッシュ部Ａ１及びＡ２の部分説明図を示す。
図２のように、ふとん本体Ｂには、空き部分Ｃ１及びＣ２を空ける。開き部分Ｃ１及びＣ２に、図３のような、空き部分Ｃ１及びＣ２とそれぞれ同形状のメッシュ部Ａ１とＡ２を縫製でセットする。
【００１２】
図４に、本実施の形態に係る肌ふとん（クールキルト肌ふとん）の断面図を示す。肌ふとん（クールキルト肌ふとん）１のふとん本体Ｂは、上側地Ｂ１と、下側地Ｂ２と、上側地Ｂ１及び下側地Ｂ２に覆われた中綿Ｂ３を備える。
【００１３】
キルトＤ１及びＤ２としては、タタキキルト、立体キルト、２層式の立体キルト等の各種キルトを施し、上側地Ｂ１（メッシュ部Ａ１及びＡ２）と下側地Ｂ２と、中綿Ｂ３がずれないようにする。下図では、一例として、肌ふとんのキルトＤ１及びＤ２として特に好ましい、タタキキルトを用いた場合を示す。タタキキルトは、直接、上側地Ｂ１と下側地Ｂ２を縫付けるキルト手法である。
【００１４】
上側地Ｂ１及び下側地Ｂ２は、中綿Ｂ２を覆う。上側地Ｂ１及び下側地Ｂ２は、側地のみで構成したり、例えば打綿としてポリエステル等の化学繊維や綿等の天然繊維の巻綿を側地で挟んだ多頭キルト等のキルトで構成することもできる。また、場合によっては、巻綿及び内地を省略しても良い。
【００１５】
中綿Ｂ３は、適宜の量、厚さ、固さ等とすることができ、さらに、材料も綿に限らず、羽毛、羊毛、キャメル、シルク等の天然材料、機能綿（防ダニ綿、遠赤綿、マイナスイオン綿、羊毛、水で丸洗い可能な綿等）、ポリエステル等の化学材料、ビーズ、スチロール、樹脂等、適宜の材料を用いることができる。中綿Ｂ３は、使用する者の多種多様なニーズに応じて、いろいろな機能綿を用いて生産することが可能である。
【００１６】
図５に、メッシュ部Ａ１及びＡ２に楕円形を用い、ふとん本体Ｂの上下に斜めに配置した例を示す。
従来のようなクールキルト肌ふとんを掛けて眠るとすると、寝ついてから暑くなると、ａ部分及びｂ部分を肌蹴る場合が想定される。しかし、ｃ部分にメッシュ部を備えた本実施の形態のようなクールキルト肌ふとん（Ｏ２酸素肌ふとん）仕様にすると、寝苦しさが解消され、安らかに朝まで寝られる。いわゆる、クールキルト肌ふとん（Ｏ２酸素肌ふとん）１は、頭寒足熱を念頭にいれた規格である。
【００１７】
２．メッシュ部
図６に、メッシュ部Ａ１及びＡ２のキルトパターンの変形例の構成図を示す。
メッシュ部Ａ１及びＡ２のキルトパターンとしては、図示のように、例えば、楕円形、変形楕円形、円形、正方形等の様々な形状を用いることができる。この他にも、例えば、根元が丸い形、鍵形等の、適宜のカット形状とすることもできる。
【００１８】
図７に、メッシュ部を構成するメッシュの具体的な構成図の一例を示す。
これはあくまで一例にすぎないが、例えば、メッシュの大きさとしては、４ｍｍ×４ｍｍ程度の穴を幅１．７ｍｍ程度の仕切りで囲むような大きさとすることができる。この大きさは、例えば、穴は、１ｍｍ〜６ｍｍ四方の長方形としてもよいし、仕切りは、０．３ｍｍ〜３ｍｍ程度としてもよい。メッシュの穴の大きさや仕切り（間隔、ピッチ）はこれに限定されず、適宜設定することができる。
【００１９】
メッシュの穴の形状としては、この例ではダイヤ形であるが、平行四辺形、正方形、長方形、多角形、円形、楕円形等の適宜の形状とすることができる。メッシュの材質としては、例えば、ポリエステル１００％等の化学繊維を用いてもよいし、毛、綿等の自然の繊維を用いてもよい。
メッシュ部の形、位置、数量（本数）等も、適宜定めることができる。クールキルト肌ふとんの形状や大きさ等で、クールキルト肌ふとんの適度の部分をメッシュ構造にすればよい。
【００２０】
３．変形例
図８に、肌ふとん（クールキルト肌ふとん）の他の実施の形態の平面図を示す。
図示のように、メッシュ部Ａ１及びＡ２の他に、肌ふとん（クールキルト肌ふとん）１の下側にメッシュ部Ａ３、Ａ３’又はＡ３”をさらに設けるようにしてもよい。このようにすると、腹部等は保温効果を維持しつつ、足等は比較的涼しくするという効果がある。
【産業上の利用可能性】
【００２１】
本発明は、利用者の快適な睡眠に対する多種多様のニーズに答えられるような、様々な形状のメッシュ部を設けた肌ふとんに適用することができる。
【図面の簡単な説明】
【００２２】
【図１】本実施の形態に係る肌ふとん（クールキルト肌ふとん）の平面図。
【図２】ふとん本体Ｂの部分説明図。
【図３】メッシュ部Ａ１及びＡ２の部分説明図。
【図４】本実施の形態に係る肌ふとん（クールキルト肌ふとん）の断面図。
【図５】メッシュ部Ａ１及びＡ２に楕円形を用い、ふとん本体Ｂの上下に斜めに配置した例。
【図６】メッシュ部Ａ１及びＡ２のキルトパターンの変形例の構成図。
【図７】メッシュ部の具体的な構成図の一例。
【図８】肌ふとん（クールキルト肌ふとん）の他の実施の形態の平面図。
【符号の説明】
【００２３】
１  クールキルト肌ふとん
Ａ１、Ａ２  メッシュ部
Ｂ  ふとん本体
Ｂ１  上側地
Ｂ２  下側地
Ｂ３  中綿
Ｃ１、Ｃ２  空き部分
Ｄ１、Ｄ２  キルト
【図１】
2009160226.tif 000003
【図２】
2009160226.tif 000004
【図３】
2009160226.tif 000005
【図４】
2009160226.tif 000006
【図５】
2009160226.tif 000007
【図６】
2009160226.tif 000008
【図７】
2009160226.tif 000009
【図８】
2009160226.tif 000010